(57)【要約】【課題】本発明に課せられた課題は、ドラム式洗濯機において、コンパクトで大容量の洗濯ができる洗濯物の投入方式にある。【解決手段】本発明は解決する手段として、ドラム内に投入された乾布状態の洗濯物に給水状態で散水しながら洗濯物を湿布状態とすることにより、乾布状態の洗濯物に含まれる空気分を低減して体積を減らす方式とする。【効果】本発明によれば、ドラム式洗濯機において、容積比で洗濯物が投入できる最大の１０ｋｇ／Ｌに対し、１．２〜１．４倍の洗濯物をドラム内投入し洗濯することが出来、洗濯機の大きさをコンパクト大容量化が図れる。【選択図】  図９
2005021361.tif 000002
【特許請求の範囲】
【請求項１】
ドラム式洗濯機において、乾布状態の洗濯物をドラム内に投入時、乾布の洗濯物に散水しながら湿布状態として投入することができることを特徴とするドラム式洗濯機。
【請求項２】
ドラム式洗濯機において、給水手段として外槽に配置された給水口からドラム外周に設けられた洗濯物投入口を通してドラム内に給水したことを特徴とする前記請求項１記載のドラム式洗濯機。
【請求項３】
ドラム式洗濯機において、所定の給水を行いドラム内に洗濯水を溜めた後に乾布状態の洗濯物を投入し、底部の洗濯物から湿布状態にしたことを特徴とするドラム式洗濯機。
【請求項４】
ドラム式洗濯機において、乾布投入と同時もしくは数秒ないし数分後に給水手段としてドラムの主軸から供給したことを特徴とする前記請求項１記載のドラム式洗濯機。
【発明の詳細な説明】
【０００１】
【発明の属する技術分野】
本発明は、ドラム式洗濯機に係わるものである。
【０００２】
【従来の技術】
従来のドラム式洗濯機はドラムの内容積比の最大は洗濯機を設置する防水パンの大きさから制限されドラムの容積比を１０Ｌ／ｋｇ以上とすることが出来なかった。また、ドラムの内容積比を１０Ｌ／ｋｇより大きくするとドラム自体を大きくしなければならず、必然的に洗濯機の大きさも大きくなり防水パンには収納できず洗濯機の設置が困難であった。このため、コンパクトで大容量のドラム式洗濯機が出来ない欠点があった。なお、トップオープンのドラム式洗濯機の例として下記の特許文献１がある。
【０００３】
【特許文献１】
特開２００３−９３７７７号公報
【０００４】
【発明が解決しようとする課題】
本発明に課せられた課題は、ドラム式洗濯機において、乾布の洗濯物が収納できる容積比はドラム内の容積に対し洗濯負荷量は１０Ｌ／ｋｇが限界でありコンパクトで大容量の洗濯機を提供することが困難であった。本発明はドラムの乾布状態の洗濯物の容量に対し１．２〜１．４倍の洗濯物を投入し、洗濯できるドラム式洗濯機を提供することにある。
【０００５】
【課題を解決するための手段】
本発明は解決する手段として、ドラム内に乾布状態の洗濯物を投入するとき、投入口付近に設けた注水口から給水しながら洗濯物に散水することにより洗濯物を湿布状態にして投入する。投入された洗濯物は、給水を洗濯物に含水することによりその体積を減らすことにより乾布状態の洗濯物の容量に対し１．２〜１．４倍の容量をドラム内に投入し洗濯できるようにした。
【０００６】
【発明の実施の形態】
本発明の実施例を図１、図２、図３を基に順次説明する。図１は、トップオープン（洗濯物の出し入れが洗濯機本体の上部から行う形態のドラム式洗濯機）の縦断面図を示しており、その構成を順次説明する。ドラム式洗濯機は合成樹脂などで形成されているベース４１に支持された洗濯機外枠１の内側に内装してある外槽２が設けられており、その外槽２のの内部には円筒状とし複数個の小さな脱水穴９（φ３〜５）を設けた円筒状のいドラム３がある。ドラム式洗濯機の洗濯方式は、このドラム３内に洗濯物４を投入し洗濯水を給水した後、駆動源であるモータの回転力により、ドラム３を正転（右回転）連続及び逆転（左回転）連続で回転させ各々の切替え時は休止を設けている。また、同様に正転、逆転を交互又はある回数を同じ方向に回転させて正転、逆転を繰返しながら回転させながらドラム３の内周壁に数本設けられたリフター１７により洗濯物４をかきあげた後、自然落下させてたたき洗いするものである。それらの機構部は、洗濯機外枠１の内側に内装してある外槽２の内部に洗濯物４が投入される円周上の側壁胴部に複数の脱水穴９を有したドラム３により行われるものである。洗濯物４は、洗濯機外枠１の最上部に設けられているトップカバー５の上部平面部５ａに上蓋６が設けられていて、洗濯物４をドラム３に投入する場合、上蓋６を開ける。次に外槽２の上部に設けられている外槽上蓋７を開ける。次に外槽２の内部に設けてあるドラム３の胴周部に位置してあるドラム蓋８を開けて、洗濯物４をドラム３内に投入する。ドラム３は、円筒状で形成されその胴部に複数の脱水穴９が設けられている。洗濯する場合は、上記説明した各蓋を前述した蓋開の状態から逆順に順次操作して閉めていく。すなわち、ドラム蓋８を閉じ、次に外槽上蓋７を閉じ、次にトップカバー５ａ部に位置している上蓋６を閉じてから、トップカバー５の前面部に配設されているコントロールパネル１０の洗濯開始スイッチ１１を押すことにより、洗濯・すすぎに必要な水を自動的に給水し洗濯・すすぎの運転を開始する。洗濯は、先ずトップカバー５に配設されている洗剤投入箱１２内に投入された洗剤が給水される水で溶かしながら、洗剤投入箱１２と外槽２を接続しているフレキシブルホース１３を介して、規定量の洗濯に必要な水を外槽２内へ供給される。供給された洗剤分を含む洗濯用の水は、外槽２の底面部から徐々に水位を上げて、ドラム３の中にある洗濯物４を浸たす。これらの動作により、外槽２内に規定量の洗剤分を含んだ洗濯水が供給されると、水位検知手段（図省略）からの指令により、図３に示すドラム３を回動させるＤＣブラシレスモータ２６に通電し、ドラム３の回動が開始され洗濯やすすぎ運転を行う。このＤＣブラシレスモータ２６は、アウターロータ式のものであり、このアウターロータ１４はドラム３の主軸１５と接続されており、アウターロータ１４の回転と共にドラム３が回動する。アウターロータ１４は、その内部に位置している複数のコイルを巻いて、外槽２に固定されているステータ１６から構成されている。洗濯物４は、洗濯およびすすぎ時にドラム３の内側に突出している複数個のリフター１７により、ドラム３の回動につれて洗濯物４がかきあげられて、ドラム３の内���の高さでほぼ最高位置に到達すると、ドラム３の底部に向って自然落下し洗濯物４をその落差でたたき洗いにより洗濯するものである。この洗濯方式は、すすぎ時も同じ方法で行うが、すすぎ時においては洗濯終了後、洗濯液を排水弁１８（図示省略）の開操作により、排水ホース１９から洗濯外枠１の外へ排水し、排水終了後、排水弁１８を閉じ清水を洗濯時の給水方法と同じ制御で外槽２内へ給水する。このすすぎ時によるドラム３の回動方法は、洗濯時と同じであるが、清水を給水する量が、洗濯時に給水するときの量より少し多めに給水制御し、洗濯物４内に含まれる洗剤分のすすぎを効率良くすすぐことが出来る様になっているのが一般的な方法である。また、ドラム３の回動は正回転をした後休止をおいて逆回転を行うが、すすぎは洗濯物４に付着した汚れを落す工程でないため、ドラム３の回転は正回転、逆回転を洗濯時より短い時間で回動させ、その間にある休止は少し長めとし、洗濯物４の傷み防止を図りながら回動を制御する方法がとられている。
【０００７】
次に、すすぎが終了した情報をもとに、排水弁１８を開放し、すすぎ水を排水ホース１９から、洗濯機外枠１外へ排水する。排水が終了すると、洗濯物４に含まれている水分を脱水する工程へ自動的に移行する。
【０００８】
脱水工程では、ＤＣブラシレスモータ２６のアウターロータ１４が一方向に高速回転することにより、ドラム３が高速回転し洗濯物４の水分は脱水穴９から遠心力により、外槽２に脱水され脱水された水分は、排水弁１８から排水ホース１９を介して洗濯機外へ排水される。脱水時、ドラム３が高速で回転することにより洗濯物４がドラム３の内周壁に均一に位置されていない状態にある場合、偏荷重となり脱水中、外槽２が上下振動をして正常な脱水運転が出来なくなる。また、この上下振動により洗濯機外枠の振動が大きくなり床面への伝達振動が大きくなるばかりか、騒音も大きくなる。このため、これら脱水時の障害を無くするため外槽２の底部に４本の防振機構２０で外槽２が支持されており、脱水時洗濯物４の偏荷重状態で脱水運転するときの外槽２の上下振動を吸収して振動や騒音の低減化を図る構成となっている。４本の防振機構２０は、油圧ダンパー減衰方式や摩擦減衰方式、エアーダンパー減衰方式などのいずれかにて構成されている。
【０００９】
次に図２、図３をもとに駆動部の詳細を説明する。このＤＣブラシレスモータ２６は、アウターロータ方式のものである。アウターロータ方式は、回動するアウターロータ１４の内側に複数個のマグネット２１が設けられている。コイルを巻いたステータ１６は、アウターロータ１４の内側に位置しており、このステータ１６は数本の固定ネジ２５により、外槽２に固定されている。アウターロータ１４の回動によるドラム３への伝達は、図１をもとに記述した方法で行われている。ステータ１６には、磁極検出素子２２ａ，２２ｂ，２２ｃは同一な電気角θ３を有し、３個均等に配設されている。この３個の検出素子は通常電気角でθ３は１２０度または６０度としているのが一般的である。まれに、この電気角を９０度として２個配置しているものもある。アウターロータ１４の外周部には、位置検知用マグネット２３が設けられており、その位置はマグネット２１のθ２の位置に設けられている。θ２は電気角で３０または６０度となっている。また、位置決め用極検出装置２４は、外槽２から支持されておりアウターロータ１４が１回転する信号をアウターロータ１４の外周の一部に固定された位置検出用マグネット２３から受けて処理し、その位置は磁極検出素子２２ａ，２２ｂ，２２ｃの中間に位置している。ちなみに、アウターロータ１４の内周部に配設されているマグネット２１は、電気角でθ１が１８０度に均等に複数個設けてあり、このマグネット２１の数により極数Ｐが決定される。このマグネット２１の数を増すことにより、極数Ｐとしては多くなりＤＣブラシレスモータを回転させる時に通電する１回毎の通電での移動量は小さくなって回転精度を増すものである。一般的にドラムを直接駆動する方式の洗濯機に使用されているマグネット２１は電気角θ１で１８０度として２４個近辺で配設されている。洗濯、すすぎ、脱水終了後ドラム３内の洗濯物４を取り出す場合に重要なことは、ドラム３の胴体外周上に設けられているドラム蓋８と、外槽２の上部に設けられている外槽上部蓋７と、トップカバー５の上部平面部に設けられている上蓋６が同一位置にならなければ、ドラム３内の洗濯物４が取り出せなくなるためドラム３の胴周上に設けられたドラム蓋８の位置が、他の外槽上蓋７と、上蓋６に同一方向になるようにアウターロータ１４の外周部に設けられた位置検出用マグネット２３の状態位置決め用検出装置２４で検出する必要がある。
【００１０】
また、ドラム３は洗濯物４がドラム３の内周壁で偏荷重の状態にあると、前述した位置検出用マグネット２３を位置決め用極検出装置２４でドラム３のドラム蓋８の位置を決定した後、ＤＣブラシレスモータ２６への通電を停止する。このとき、ドラム３内の洗濯物４が偏荷重の場合、ドラム３はアンバランスな状態となり自然回動して、ドラム蓋８の位置がずれてしまい洗濯物４が取り出せなくなる。このため、各蓋が同一上で合致した状態でドラム３を固定しなければならない。ドラム３を各開閉蓋が同一状態の位置で固定しておく方法として、脱水終了後のドラム３と主軸１５により、アウターロータ１４に接続されているアウターロータ１４の外周部を機械的に固定する方法がある。脱水終了後ドラム３の慣性力で回転している状態を制動する手段として、ＤＣブラシレスモータ２６に対して一般的に行われている逆相制動方式もしくは三相短絡方式による電磁ブレーキを印加する方法がある。これらの方式により、ドラム３の回転速度を減速していく。ここで、逆相制動方式は、ブレーキトルクを大きくすることができ、短い時間でドラム３の回動を制動することができるが、制御ソフト上ベクトル制御を行う必要があり複雑化する。三相短絡制動方式は、ブレーキトルクは弱くドラム３の回動を制動するには、多少の時間を要し、停止時間が長くなるが、最も簡単に制御できる利点を持っている。これらを効果的に使い分ける方法としては負荷量を検知する手段と連動して負荷が大きいときは逆相制動とし、負荷が小さい時は三相短絡方式とすることができる。この様に、脱水によるドラム３の回動を停止させた後、ドラム３内から洗濯物４を取り出すため、各蓋の開放位置を決定して洗濯物４の出し入れをする。
【００１１】
次に図４、図５を基にドラム式洗濯機の運転動作制御を説明する。
【００１２】
先ず図４は、ドラム式洗濯機をマイクロコンピュータの制御により運転する制御部の説明図である。
【００１３】
マイクロコンピュータ２７は、タイマー２８とＣＰＵ（中央処理装置）２９および、メモリ３０、Ｉ／Ｏポート３１、３２から構成されている。これら、マイクロコインピュータ２７での処理は、ＣＰＵ２９とタイマー２８、およびメモリ３０をデータバスにより、データのやり取りをし制御しているものである。
【００１４】
これらの制御動作は、基本的には周知の如くタイマー２８、中央処理装置（ＣＰＵ）２９、メモリ３０、入力ポート３１、出力ポート３２から成り立っており、洗濯時の制御指令は、中央処理装置（ＣＰＵ）２９で行うが、中央処理装置（ＣＰＵ）２９には、演算部や、制御部があり、システムの中心と成るものである。
【００１５】
ＣＰＵは基本的には、命令の取り出しと解読、実行指令であるが、具体的には算術演算、および論理演算、メモリの指定アドレス内容の読み出しと書き込み制御、入出力装置への指定アドレスへの入出力制御やプログラムの流れの制御を行うものである。
【００１６】
メモリ３０は、プログラムとデータを記憶するもので、読み出しと書き込みの両機能をもつＲＡＭと読み出し機能だけをもつＲＯＭの２種類を備えており、ＲＡＭは、データを記憶させたり、プログラムを組む上での作業エリアとして用い、ＲＯＭは、決まったプログラムや固定データを入れ、いつでも同じ処理をする場合に使用する。
【００１７】
入力ポート３１と出力ポート３２は、ＣＰＵと入力装置、出力装置との間でデータの受け渡しを行う場合の仲介をする回路で、一般的にＩ／Ｏポートと呼んでいる。
【００１８】
Ｉ／Ｏポートの入力側には、ドラム式洗濯機からの電気的指令信号が入力される。これは、主に洗濯開始スイッチ１１、水位センサー３３、蓋スイッチ３４、プログラム選択スイッチ３５、スタート・ストップスイッチ３６、洗剤目安量・布量センサ３７などが接続されている。また、出力側には、洗濯脱水駆動用モータ２６、給水弁３８、排水弁１８、報知器３９、コントロールパネル１０部にある進行表示４０などが接続されており、ＣＰＵの指令によりＩ／Ｏポートの介在でドラム式洗濯機が運転制御される。
【００１９】
以上、図４を基にマイコン制御によるドラム式洗濯機の基本的な運転動作制御を記述した。また、これらのマイコン制御により自動的に洗濯コースを運転動作する工程を、図５の工程ブロック図を基に、更に具体的に説明する。
（Ｓ１０１：給水工程）
洗濯機は、電源スイッチ１１を押しプログラム選択スイッチ３５で、例えば標準コースを選択し、スタート・ストップスイッチ３６を押すことにより、給水ホース（省略）から給水弁（省略）を介在し、外槽２の中に給水される。洗濯水が規定量外槽２内に入ったことを水位センサ（省略）からの情報により、Ｉ／Ｏポートを介して中央処理装置（ＣＰＵ）２９で情報内容を判断し給水を停止する。
（Ｓ１０２：洗濯工程）
洗濯に必要な水が給水された後、ドラム３を回動して規定時間洗濯運転を行う。
（Ｓ１０３：排水工程）
洗濯動作が終了した後、排水弁１８を開放して、洗濯水を排水ホース１９から機外へ排水する。
（Ｓ１０４：脱水工程）
外槽２内にある洗濯水が完全に排水された後、洗濯物４に含まれている水分をドラム３の高速回転により遠心力で脱水穴９から脱水する、脱水▲１▼を行う。
（Ｓ１０５：給水工程）
脱水終了後、駆動用ブラシレスモータ２６を停止して排水弁１８を閉じ、すすぎ▲１▼用の給水をして、すすぎ工程にてドラム３を回動してすすぎを行う。
【００２０】
この時の給水制御はＳ１０１の洗濯前の給水と同じであるが、すすぎ効率を良くするため、すすぎ時の給水量は洗濯時の給水量より多く給水する。
（Ｓ１０６：すすぎ▲１▼）
すすぎ▲１▼の運転動作はＳ１０２における洗濯運転動作と同じ制御をされるが、すすぎ▲１▼では、洗濯物４に付着した汚れを落す目的でなく、洗濯物４に含まれる洗剤分をすすぐものであるため、ドラム３の休止をおいた右−左の回動数は、Ｓ１０２の洗濯時より少なくして布傷みやからみを防止している。
（Ｓ１０７：排水工程）
排水工程はすすぎ▲１▼のすすぎ水を洗濯機外に排水するものであり、制御はＳ１０３と同じである。
（Ｓ１０８：脱水工程▲２▼）
脱水工程▲２▼は、脱水工程▲１▼と同じく洗濯物４に含まれるすすぎ水と同じ制御で運転される。
（Ｓ１０９：すすぎ▲２▼）
すすぎ▲２▼はＳ１０６のすすぎ▲１▼と同じ制御で運転される。
（Ｓ１１０：排水工程）
排水工程はＳ１０３やＳ１０７の排水工程と同じ制御で運転される。
（Ｓ１１１：最終脱水工程）
最終脱水工程では、Ｓ１０３やＳ１０８の脱水工程より長い時間、ドラム３を高速脱水運転して洗濯物４に含まれる水分を脱水し、規定時間の運転が終了すると自動的に終了報知をして一連の洗濯からすすぎ、脱水に至る洗濯コースを終了する。
【００２１】
図６は洗濯機の外観図である。洗濯機の大きさは洗濯機本体を設置する防水パンの大きさにより概略決定されている。ドラム式洗濯機の場合、ドラムの内容積により洗濯容量が決まり、洗濯機を設置する防水パンの内側の大きさが６００ｍｍ角で最大の大きさであり洗濯機はこの大きさに収まらなければならない。このためＷ１とＬ１のサイズは必然的に決定される。ベース４１のサイズＷ１とＬ１が防止パンに収納できる最大の大きさとすると、洗濯機の外枠１の大きさが決定され、更に外枠１の内部に収納される外槽２の大きさ（外径）が決定されてしまう。外槽２の大きさが決定されると、外槽２の内部に位置している洗濯・脱水用のドラムの大きさ（外径）が決定される。洗濯機の構成上ベース４１のＷ１とＬ１が防水パンにより制限させられた大きさではドラム３の内容積は最大約７５Ｌが限界であり、この７５Ｌの大きさのドラムでは、洗濯物が約７．５ｋｇ程度投入できるが、この負荷量の場合ドラム内に無理に押し込んだ状態である。この制限された大きさで乾布状態の洗濯量を８ｋｇや９ｋｇと投入することはドラムの容積を大きくしないと達成出来ない。ドラムの容積を大きくすれば洗濯機外枠が大きくない洗濯機のコンパクト化が図れず、洗濯機を設置できなくなる。
【００２２】
図７は外槽とドラムの縦断面図を示す。  洗濯機のドラム３の内容積は前述した様に洗濯機の設置を考慮すると７５Ｌが許容される最大容積である。図８に示すように、外槽衣類投入口７ａとドラム衣類投入口８ａから洗濯物４２をドラム３内に投入する場合、許容最大のドラム３の内容積７５Ｌに洗濯物４２は約７．５ｋｇで満杯状態となる。これ以上洗濯物４２とドラム３内へ投入は構成上できない。
【００２３】
図８は、最大のドラム３の内容積７５Ｌに７．５ｋｇの洗濯物を投入した図７の状態に対し、給水して洗濯物４２に水分を含ませた状態を示す。乾布の洗濯物４２に水分を含ませて湿布状態とすると洗濯物４２はかさ分を低減して４２ａの様になる。このとき水分を含ませ湿布状態とすれば、７．５ｋｇの乾布容積に対し約３０〜４０％程度洗濯物４２ａのかさが低減される。すらなち、洗濯物４２の７．５ｋｇ容量がドラム内で満杯でも、湿布状態となれば最大７５Ｌのドラム３内の内容積に対し更に多くの洗濯物を投入する事が出来る。このため、制限された洗濯機外枠の大きさで大容量の洗濯物をドラム内に収納して洗濯することが可能となる。
【００２４】
図１０、図１１、図１２は、ドラム３の使用可能な最大容積である７５Ｌに７．５ｋｇ以上の洗濯物を投入し洗濯出来る実施例を示す。  図１０は給水手段として外槽に配置された給水口からドラム外周に設けられた洗濯物投入口を通してドラム内に給水したときの実施例を示している。乾布の洗濯物４２は最大でも７．５ｋｇしか投入することが出来ないが乾布の洗濯物を投入しながら、外槽２の上部に位置している外槽衣類投入口７ａの近傍に注水口１３ａ、１３ｂを設けて、注水しながら乾布の洗濯物を投入すれば、前述した様に、洗濯物を湿らせることにより洗濯物４２の間に含まれる空気分が減少しその体積が少なくなり洗濯物４２ａの状態となる。このため、ドラム３の最大容積７５Ｌに８ｋｇ〜１０ｋｇの洗濯物を投入することが可能となる。また、図１１は所定の給水を行いドラム内に洗濯水を溜めた後に乾布状態の洗濯物を投入し、底部の洗濯物から湿布状態にしたときの実施例を示しており予め注水口１３ａから外槽２内に数Ｌ（２０〜３０Ｌ）の水を供給しておき、その後乾布の洗濯物４２を投入することにより、ドラム３の外周に設けらた脱水穴９から投入された乾布の洗濯物４２に水分が吸収されて、洗濯物の体積が減少して洗濯物４２ａの状態となり、乾布で７．５ｋｇが限界であるドラム３の内容積に８〜１０ｋｇ投入することが可能となる。また、図１２は給水手段としてドラムの主軸から供給した時の実施例を示しており、ドラム３の軸１５を中空軸１５ａとしてこの中空軸１５ａから洗濯水を給水して乾布の洗濯物４２を湿らせて４２ａの状態とし、限られたドラム３の内容積に８〜１０ｋｇの乾布洗濯物を投入することが可能となる。また、給水方法として図１０及び図１２の実施例の場合は最初に所定の給水をした後に洗濯物投入時に更に給水を行うことにより給水の水量が少ない時及び洗濯物の投入が早いときには底部からの水の浸透が加算されるので、投入速度の調整が不要である。図１０〜図１２に示すように、ドラム３の最大内容積７５Ｌで乾布状態の洗濯物が７．５ｋｇしか投入できないが洗濯前に洗濯物を湿らせながらドラム３内に投入する方法とすれば、８〜１０ｋｇの洗濯物を投入し洗濯できるためコンパクトで大容量の洗濯機を提供することができる。
【００２５】
【発明の効果】
本発明によれば、ドラム式洗濯機においてドラム内に洗濯物を投入しながら洗濯物に散水して湿らせることにより、乾布洗濯物の容積を小さくすることが出来るので洗濯機本体の大きさを大きくすることなく、また、ドラムの内容積を大きくすることなく乾布洗濯量で７．５ｋｇ（容積比で１０ｋｇ／Ｌ）以上の８〜１０ｋｇ洗濯物を投入することができる。これにより、洗濯機のドラム容積を大きくすることなく、大容量の洗濯物を洗濯できるコンパクト大容量のドラム式洗濯機を提供することができる。
【図面の簡単な説明】
【図１】本発明の実施例のドラム式洗濯機の縦断面図。
【図２】本発明の実施例のＤＣブラシレスモータ断面図。
【図３】本発明の実施例のＤＣブラシレスモータ簡略説明図。
【図４】運転制御図。
【図５】運転工程図。
【図６】ドラム式洗濯機の外観図。
【図７】ドラム式洗濯機の外槽とドラムの縦断面図。
【図８】ドラム内への乾布洗濯物投入図。
【図９】ドラム内での湿布洗濯物投入図。
【図１０】洗濯物の湿布方法図。
【図１１】洗濯物の湿布方法図。
【図１２】洗濯物の湿布方法図。
【符号の説明】
１…外枠、２…外槽、３…ドラム、１３ａ…注水口、４２…乾布洗濯物、４２ａ…湿布洗濯物、１５ａ…中空軸。
【図１】
2005021361.tif 000003
【図２】
2005021361.tif 000004
【図３】
2005021361.tif 000005
【図４】
2005021361.tif 000006
【図５】
2005021361.tif 000007
【図６】
2005021361.tif 000008
【図７】
2005021361.tif 000009
【図８】
2005021361.tif 000010
【図９】
2005021361.tif 000011
【図１０】
2005021361.tif 000012
【図１１】
2005021361.tif 000013
【図１２】
2005021361.tif 000014